(57)【要約】      （修正有）【課題】電力の浪費は著しく減少する。【解決手段】開示の一定の構成は、ＰＴＣ始動装置を提示する。ＰＴＣ始動装置は、ハウジング、第１の導電性端子６、第２の導電性端子７、制御用ＰＴＣサーミスタ３、起動用ＰＴＣサーミスタ４、およびトライアック５を含む。制御用ＰＴＣサーミスタ３、起動用ＰＴＣサーミスタ４およびトライアック５は、ハウジング内に収容される。起動用ＰＴＣサーミスタ４は、トライアック５と直列に接続される。制御用ＰＴＣサーミスタ３の１つの電極は、トライアック５のゲート（Ｇ）に接続される。制御用ＰＴＣサーミスタ３は、起動用ＰＴＣサーミスタ４と直列に接続される。制御用ＰＴＣサーミスタ３の体積は、３０ｍｍ３よりも小さく、制御用ＰＴＣサーミスタ３と起動用ＰＴＣサーミスタ４の間の距離は、５ｍｍよりも小さい。【選択図】図２
2015062330.tif 000002
【特許請求の範囲】
【請求項１】
ハウジングと、第１の導電性端子と、第２の導電性端子と、制御用ＰＴＣサーミスタと、起動用ＰＴＣサーミスタと、トライアックとを含むＰＴＣ始動装置であって、
前記制御用ＰＴＣサーミスタ、前記起動用ＰＴＣサーミスタおよび前記トライアックが、前記ハウジング内に配置され、前記起動用ＰＴＣサーミスタが前記トライアックと直列に接続され、制御用ＰＴＣサーミスタの１つの電極が前記トライアックのゲート（Ｇ）に接続され、前記制御用ＰＴＣサーミスタが前記起動用ＰＴＣサーミスタと直列に接続される、ＰＴＣ始動装置。
【請求項２】
前記制御用ＰＴＣサーミスタの体積が１０ｍｍ３よりも小さい、請求項１に記載のＰＴＣ始動装置。
【請求項３】
前記制御用ＰＴＣサーミスタと前記起動用ＰＴＣサーミスタの間の距離が３ｍｍよりも小さい、請求項１に記載のＰＴＣ始動装置。
【請求項４】
前記制御用ＰＴＣサーミスタの抵抗値が、０．３０Ｗよりも低い安定的な電力で、２５℃よりも低いときに、３０００から６０００Ωである、請求項１に記載のＰＴＣ始動装置。
【請求項５】
前記制御用ＰＴＣサーミスタの抵抗値が、前記起動用ＰＴＣサーミスタの抵抗値よりも実質的に高い、請求項１に記載のＰＴＣ始動装置。
【請求項６】
前記起動用ＰＴＣサーミスタの抵抗値が、３Ｗよりも低い安定的な電力で、２５℃よりも低いときに、３．９から６８Ωである、請求項１に記載のＰＴＣ始動装置。
【請求項７】
前記起動用ＰＴＣサーミスタが、モータを駆動するようにモータ駆動回路で使用される、請求項１に記載のＰＴＣ始動装置。
【請求項８】
前記第１および第２の導電性端子が、１次巻線の端子および２次巻線の端子に電気的に接続される、請求項７に記載のＰＴＣ始動装置。
【請求項９】
前記モータ駆動装置によって駆動されるモータが、冷却装置のコンプレッサ用モータである、請求項７に記載のＰＴＣ始動装置。
【請求項１０】
前記モータが単相ＡＣモータである、請求項７に記載のＰＴＣ始動装置。
【請求項１１】
前記制御用ＰＴＣサーミスタの体積が３０ｍｍ３よりも小さく、前記制御用ＰＴＣサーミスタと前記起動用ＰＴＣサーミスタの間の距離が５ｍｍよりも小さい、請求項１に記載のＰＴＣ始動装置。
【請求項１２】
前記制御用ＰＴＣサーミスタの抵抗値が、０．３０Ｗよりも低い安定的な電力で、２５℃よりも低いときに、３０００から６０００Ωである、請求項２に記載のＰＴＣ始動装置。
【請求項１３】
前記制御用ＰＴＣサーミスタの抵抗値が、０．３０Ｗよりも低い安定的な電力で、２５℃よりも低いときに、３０００から６０００Ωである、請求項３に記載のＰＴＣ始動装置。
【請求項１４】
トライアック（交流用三極管）と、
前記トライアックのゲートに結合されて、前記トライアックを通過する電流量を制御する制御用ＰＴＣ（正温度係数）サーミスタと、
前記制御用ＰＴＣサーミスタと熱的に伝達する起動用ＰＴＣサーミスタとを含む装置であって、前記起動用ＰＴＣサーミスタによって発生される熱が、前記制御用ＰＴＣサーミスタの温度を制御する、装置。
【請求項１５】
前記起動用ＰＴＣサーミスタが前記制御用ＰＴＣサーミスタと直列に配置され、
前記制御用ＰＴＣサーミスタの温度が、前記トライアックの前記ゲートに入力される電流量を制御する、請求項１４に記載の装置。
【請求項１６】
前記起動用ＰＴＣサーミスタが前記トライアックと直列に配置される、請求項１５に記載の装置。
【請求項１７】
前記トライアックおよび前記起動用ＰＴＣサーミスタを流れる直流回路の経路が、モータの巻線を制御する、請求項１６に記載の装置。
【請求項１８】
前記巻線が前記各モータの２次巻線であり、前記２次巻線が前記各モータの起動期間中に活性化にされる、請求項１７に記載の装置。
【請求項１９】
前記制御用ＰＴＣサーミスタに、前記起動用ＰＴＣサーミスタによって発生された熱の前記制御用Ｐ￥ＴＣヒータへの伝達は、前記直列回路の経路の各抵抗を増大させる、請求項１８に記載の装置。
【請求項２０】
前記直列回路の経路の前記増加した抵抗は、前記トライアックおよび前記２次巻線を通過する電流量を実質的に減少させる、請求項１９に記載の装置。
【請求項２１】
前記制御用ＰＴＣサーミスタおよび前記起動用ＰＴＣサーミスタが、前記起動用ＰＴＣサーミスタによって発生された熱を前記制御用ＰＴＣサーミスタに伝達するのを促進するように、暗色の材料によってコーティングされる、請求項１４に記載の装置。
【発明の詳細な説明】
【関連出願】
【０００１】
本出願は、２０１３年８月２６日に出願された中国特許出願番号２０１３１０３７５８１４．９に関連し、またその優先権を主張するものであり、その出願の全体の教示が参照により本明細書に組み込まれる。
【技術分野】
【０００２】
本明細書における実施形態は、正温度係数（ＰＴＣ）サーミスタ始動装置に関し、詳細には、低電力消費の正温度係数（ＰＴＣ）サーミスタ始動装置に関する。
【背景技術】
【０００３】
例えば、冷却装置のコンプレッサ用のモータの駆動回路は、一般に、１次巻線（動作巻線）および２次巻線（始動巻線）を含み、これらの巻線は並列に接続される。１次巻線は、モータの起動時に動作するのに加えて、モータの稼働中に動作し続ける。２次巻線は、モータの起動時にのみ動作する。２次巻線は、モータが起動した後に効果的に遮断されて使用されない。従来技術によれば、ＰＴＣ（正温度係数）サーミスタは２次巻線と直列に接続され得る。モータ起動時に、１次巻線と２次巻線の両方が動作し（すなわち、電流が流れ）、ＰＴＣサーミスタは、大きな電流を流すことのできる低い初期抵抗を有する。通常のモータの稼働中に、電流が１次巻線および対応するＰＴＣサーミスタを流れ続けると、ＰＴＣサーミスタは、その抵抗が急速に増加するとともに熱せられ、弱い電流のみが２次巻線を有する回路を流れ、それゆえ、ＰＴＣサーミスタの抵抗が高いので、所望の通り、２次巻線は機能的に停止される。このような弱い電流は、加熱されているＰＴＣサーミスタの高い抵抗を維持し、約３Ｗの電力消費を引き起こす。このような電力消費は、各モータへの電力供給に使用されないので、電力の浪費である。
【０００４】
特許文献１は、起動用ＰＴＣ、２次巻線と直列に接続されるトライアック（交流用三極管）、および起動用ＰＴＣと並列に接続される制御用ＰＴＣを備える、モータ始動回路を開示する。ここでは、制御用ＰＴＣの１つの端子は、トライアックのゲートに接続される。モータが起動すると、トリガー信号が制御用ＰＴＣを介してゲートに提供される。それゆえ、トライアックがオンになり、起動電流が起動用ＰＴＣを通って２次巻線に流れる。モータが起動した後、通過電流の抵抗が増加する結果、起動用ＰＴＣが加熱される、したがって、２次巻線を流れる電流は減少する。これと同時に、制御用ＰＴＣの抵抗が増加する。そして、ゲートを流れる電流が減少し、トライアックがオフされる。この状態では、オン電流が起動用ＰＴＣおよび制御用ＰＴＣに流れる。そのため、電力の浪費は著しく減少する。
【０００５】
特許文献１では、起動用ＰＴＣおよび制御用ＰＴＣが並列に接続されるので、起動電流が大きな影響力をもって直接的に制御用ＰＴＣを流れ、その結果、制御用ＰＴＣの寿命が影響を受ける。さらに、電流が弱い場合では、起動用ＰＴＣおよび制御用ＰＴＣが並列に接続されているので、トリガー方法によるゲートの感度の差が原因で、半波サイクルが長くなり過ぎ、モータが回転中にノイズおよび変動を引き起こす。さらに、制御用ＰＴＣの体積は、オン／オフ時間と正の相関を有するので、モータが起動に失敗することとなる短すぎるオフ時間を避けるために、制御用ＰＴＣの体積は、１００℃よりも低いときに３０ｍｍ３よりも大きくする必要がある。したがって、動作スペースが制限される。
【先行技術文献】
【特許文献】
【０００６】
【特許文献１】ＣＮ１１６８０２２Ａ
【発明の開示】
【課題を解決するための手段】
【０００７】
本明細書における実施形態は、上述の１つまたは複数の技術的問題を解決する、改良型のモータ始動回路を提供することを含む。
【０００８】
１つの例示的な実施形態によれば、これに限定されるのではないが、本開示によるＰＴＣ始動装置は、ハウジング、第１の導電性端子、第２の導電性端子、制御用ＰＴＣサーミスタ、起動用ＰＴＣサーミスタ、およびトライアックを含み、制御用ＰＴＣサーミスタ、起動用ＰＴＣサーミスタおよびトライアックはハウジング内に配置され、起動用ＰＴＣサーミスタは、トライアックと直列に接続され、制御用ＰＴＣサーミスタの１つの電極はトライアックのゲートに接続され、制御用ＰＴＣサーミスタは、起動用ＰＴＣサーミスタと直列に接続される。
【０００９】
別の実施によれば、制御用ＰＴＣサーミスタの体積は、３０ｍｍ３よりも小さく、制御用ＰＴＣサーミスタと起動用ＰＴＣサーミスタの間の距離は、５ｍｍ（ミリメートル）よりも小さい。
【００１０】
１つの例示的な実施形態によれば、これに限定されるのではないが、制御用ＰＴＣサーミスタの体積は、１０ｍｍ３（立方ミリメートル）よりも小さい。
【００１１】
別の例示的な実施形態によれば、これに限定されるのではないが、制御用ＰＴＣサーミスタと起動用ＰＴＣサーミスタの間の距離は、３ｍｍよりも小さい。
【００１２】
本明細書における別の実施形態は、装置を含む。この装置は、トライアック（交流用三極管）、制御用ＰＴＣ（正温度係数）、トライアックを流れる電流量を制御するようにトライアックのゲートに結合された制御用ＰＴＣ（正温度係数）サーミスタ、および、制御用ＰＴＣサーミスタと熱的に連絡する起動用ＰＴＣサーミスタを含み、起動用ＰＴＣサーミスタによって生成される熱は制御用ＰＴＣサーミスタの温度を制御する。
【００１３】
別の実施形態によれば、起動用ＰＴＣサーミスタは制御用ＰＴＣサーミスタと直列に配置される。
【００１４】
起動用ＰＴＣサーミスタは、トライアックと直列に配置される。
【００１５】
別の構成によれば、トライアックおよび起動用ＰＴＣサーミスタを通る直列回路経路は、各モータの巻線を流れる電流を制御する。モータは、任意の数の巻線を含むことができる。１つの実施形態では、直列回路経路によって制御される巻線は、各モータの２次巻線（始動巻線）である。直列回路経路を介して、２次巻線は、各モータの起動時に活動状態にされる。起動用ＰＴＣサーミスタによって生成される熱が制御用ＰＴＣサーミスタに伝送されると、直列回路経路のそれぞれの抵抗が増加する。直列回路の抵抗が実質的に増加すると、トライアックおよび対応する２次巻線を流れる電流量は減少する。それゆえ、各モータの起動後、２次巻線を流れる電流は実質的に減少される。
【００１６】
上記およびその他の具体的な実施形態がより詳細に開示される。
【００１７】
本明細書で述べるように、本明細書における技術は、各モータの１つまたは複数の巻線を制御するのに適したものである。しかし、本明細書における実施形態が、このような用途での使用に限定されるのではなく、本明細書で述べられる技術が他の用途にも同様に適したものであることに留意すべきである。
【００１８】
さらに、様々な特徴、技術、構成等のそれぞれが、本明細書において本開示の異なる箇所で述べられるが、概念のそれぞれは、相互に無関係に、または相互に組み合わせて、選択的に実行可能であることに留意されたい。したがって、本明細書に述べる１つまたは複数の本発明は、様々な方法で実現かつ解釈され得る。
【００１９】
また、本明細書における実施形態の先の考察は、本開示または請求される発明の全ての実施形態および／または斬新的な新規性の態様を特定するものではない。むしろ、この簡単な説明は、従来技術での通常の実施形態および新規性の対応箇所を提示するのみである。本発明のその他の詳細および／または起こり得る観点（変更）のために、読み手は、さらに以下で説明する詳細な説明の部分および対応する図面に注目する。
【図面の簡単な説明】
【００２０】
【図１】本明細書における実施形態によるＰＴＣ始動装置の分解斜視図である。
【図２】本明細書における実施形態による対応するモータを駆動するためのモータ駆動回路に接続されたＰＴＣ始動装置の概略図である。
【図３】本明細書における実施形態によるトライアックの内部の詳細の一例を示す図である。
【図４】本明細書における実施形態による、メインＰＴＣサーミスタと制御用ＰＴＣサーミスタとの間の熱伝達を可能にするそれぞれのハウジングの孔を示す例示的な図である。
【００２１】
本発明の上記および他の目的、特徴および利点が、添付の図面に示すように、本明細書における好ましい実施形態の以下のより詳細な説明から明らかとなろう。図面において、類似の参照文字は、異なる図面を通して同じ部分を表す。図面は必ずしも変倍されておらず、実施形態、原則、概念等を示すことに力点が置かれている。
【発明を実施するための形態】
【００２２】
図１は、本開示のＰＴＣ始動装置の分解斜視図を示す。図１に示すように、ＰＴＣ始動装置は、カバー１ならびにベース２を含むハウジング、制御用ＰＴＣサーミスタ３、起動用ＰＴＣサーミスタ４、トライアック５、第１の端子６、および第２の端子７を含む。始動装置がモータ駆動回路に接続されると、第１の端子６および第２の端子７が、モータの１次巻線（駆動巻線）の端子およびモータの２次巻線（始動巻線）の端子にそれぞれ接続される。例示的な実施形態として、これに限定されるのではないが、トライアック５は部品番号ＮＸＰ  ＢＴＡ２０６‐８００ＣＴ、ＢＪ１３７‐６００‐ＯＴ等などの任意の適切な部品とすることができる。
【００２３】
１つの実施形態では、制御用ＰＴＣサーミスタ３、起動用ＰＴＣサーミスタ４およびトライアック５は、ハウジングに収容される。ハウジングは、起動用ＰＴＣサーミスタ４から制御用ＰＴＣサーミスタ３へ熱を流すことのできる、対応する孔（窓）を含むことができる。この一例を図４に示す。
【００２４】
ノード２１５が示すように、制御用ＰＴＣサーミスタ３の第１の電極（または第１の軸端）は、トライアック（図２にも示す）のゲートＧに電気的に接続される。ノード２２０が示すように、制御用ＰＴＣサーミスタ３の第２の電極Ａ２（または第２の軸端）は、トライアック５の第１の主電極と起動用ＰＴＣサーミスタ４の第１の電極の両方に電気的に接続される。１つの実施形態では、制御用ＰＴＣサーミスタ３の第１の電極および第２の電極は、他の構成部品に対する熱放散を防ぐのに十分に小さい。
【００２５】
図示するように、トライアック５の第１の電極Ａ１（ノード２２５）および起動用ＰＴＣサーミスタ４の第２の電極２３０は、それぞれ第１の端子６および第２の端子７に電気的に接続される。すなわち、電極２２５（Ａ１）は、モータ２５０の２次巻線Ｌ２の端子６に接続される。ノード２３０は、端子７に接続される。
【００２６】
図２は、モータ駆動回路に接続されたＰＴＣ始動装置サーミスタ４を示す概略図である。図示し、また前述した通り、起動用ＰＴＣサーミスタ４は、トライアック５と直列に接続される。制御用ＰＴＣサーミスタ３の第１の電極（ノード２１５）は、トライアック５のゲートＧに電気的に接続される。さらに図示するように、制御用ＰＴＣサーミスタ３は、起動用ＰＴＣサーミスタ４と直列に接続される。制御用ＰＴＣサーミスタ３およびトライアック５の対応するゲートを流れる電流は、対応する巻線Ｌ２を電流が流れることができる大きさを制御する。
【００２７】
１つの実施形態では、制御用ＰＴＣサーミスタ３の抵抗は、起動用ＰＴＣサーミスタ４の抵抗よりも実質的に大きいか、または大幅に大きい。例示的な実施形態として、これに限定するのではないが、起動用ＰＴＣサーミスタ４の抵抗は、３Ｗよりも低い安定した電力で温度が２５℃よりも低い場合に、３．９〜６８Ωとすることができる。さらに、制御用ＰＴＣサーミスタ３の抵抗は、０．３０Ｗよりも低い安定した電力で温度が２５℃よりも低い場合に、３０００〜６０００Ωとすることができる。
【００２８】
選択的に、始動装置は、起動用ＰＴＣサーミスタ４のために弾性の支持８（図１）を含んでもよい。弾性の支持８は、起動用ＰＴＣサーミスタ４の第２の電極に接触し、そこに弾性的な力を加え、これにより、端子７と、起動用ＰＴＣサーミスタ４の第２の電極と、第２の端子７との間に信頼性の高い接触が形成される。選択的に、制御用ＰＴＣサーミスタ３は、２つの弾性的な支持９、１０の間に挟持される。１つの支持９は、制御用ＰＴＣサーミスタ３の第２の電極と、起動用ＰＴＣサーミスタ４の第１の電極と、トライアックのヒートシンク（端子Ａ２）との間に信頼性の高い接触を形成する。もう１つの支持１０は、制御用ＰＴＣサーミスタ３の第１の電極とトライアック５のゲートの間に信頼性の高い接触を形成する。
【００２９】
モータ２５０に電力が供給され（電圧源２６０からの電圧の印加に基づく）、起動し始めると、電流は、起動用ＰＴＣサーミスタ４および制御用ＰＴＣサーミスタ３を通って、トライアック５のゲートＧへ流れる。起動用ＰＴＣサーミスタ４および制御用ＰＴＣサーミスタ３は、初めは標準的な温度（これらのサーミスタが十分に冷却されると仮定した場合の周囲温度など）である。このような例では、上述のように、これらのサーミスタは、モータ２５０の起動状態の間、低い抵抗を有する。この起動状態の間では、電圧源２６０からの電圧は、モータの巻線Ｌ２と端子７の組み合わせの間に印加されている。１つの実施形態では、電圧源２６０は、交流または１１０ＶＡＣもしくは２２０ＶＡＣなどのＡＣ電圧源である。ゲートＧを通る電流は、トライアック５をオンにするのに十分大きい。それゆえ、モータ２５０を起動する大きな電流は、起動用ＰＴＣサーミスタ４およびトライアック５を通って、２次巻線Ｌ２を流れる。
【００３０】
モータの各シャフトが一定時間回転するなど、モータが起動した後に、電流は起動用ＰＴＣサーミスタ４を流れ、起動用ＰＴＣサーミスタ４を加熱し、その温度を上昇させる。起動用ＰＴＣサーミスタ４を通る実質的な電流は、結果的に制御用ＰＴＣサーミスタ３を、例えば数秒のうちに素早く加熱する。ある実施形態では、ＰＴＣサーミスタ３は、約数ミリ秒、数マイクロ秒等で熱せられる。
【００３１】
別の実施形態によれば、電圧原２６０の印加前、ＰＴＣサーミスタ４は、２０℃（室温）で約４．７から３０Ωで起動する。図示するように、電圧源２６０の印加により、電流が、起動用ＰＴＣサーミスタ４および巻線Ｌ２を流れる。電流の流れに基づき、起動用ＰＴＣサーミスタ４は、電圧原２６０を約６００ミリ秒印加した後に、約１００℃の温度よりも高く熱せられる。制御用ＰＴＣサーミスタ３は、１００℃よりも高い温度にＰＴＣサーミスタ３を熱する十分な熱を、起動用ＰＴＣサーミスタ４から（図４の隔壁４２０の開口４１０を介して）受ける。すなわち、起動用ＰＴＣサーミスタ４および制御用ＰＴＣサーミスタ３は、ハウジング内で相互に熱的に近接しており（例えば、起動用ＰＴＣサーミスタ４と制御用ＰＴＣサーミスタ３を分ける空隙がある）、起動用ＰＴＣサーミスタ４からの熱は、制御用ＰＴＣサーミスタ３を熱する。
【００３２】
上述のように、初めに、電圧源２６０を印加する前に、制御用ＰＴＣサーミスタ３は、２５℃で３０００から６０００Ωの間の抵抗値を有する。前述のように、起動用ＰＴＣサーミスタ４から受ける熱に基づいて１００℃などの温度よりも高く熱せられると、制御用ＰＴＣサーミスタ３は、より抵抗が高くなる（例えば、５０ｋΩよりも高くなる）。制御用ＰＴＣサーミスタ３が熱せられると、その温度が上昇する。温度が上昇すると、制御用ＰＴＣサーミスタ３の抵抗が高くなり、トライアック５のゲートＧに供給される電流量が減少する。すなわち、このような例では、温度の上昇に応じて、制御用ＰＴＣサーミスタ３の抵抗が急速に上昇し、対応するゲートを通る電流が急速に減少する。これによりトライアック５は実質的にオフになり、完全ではないにせよ、２次巻線Ｌ２を通る実質的にほとんどの電流を遮断する。
【００３３】
モータが起動されたので、もはやトライアック５および起動用ＰＴＣサーミスタ４を通って２次巻線Ｌ２へ電流を駆動する必要はない。すなわち、起動用ＰＴＣサーミスタ４が制御用ＰＴＣサーミスタ３を加熱した後に、トライアック５は遮断される。それゆえ、インピーダンスの高い経路が、ノード２２５とノード２３０の間に形成される。このような例では、電流がもはや２次巻線Ｌ２に流れない（または、電流が実質的に減少される）。電流は、巻線Ｌ１を流れ続け、これによってモータ２５０のシャフトが回転する。１つの実施形態では、制御用ＰＴＣサーミスタ３に十分な電流が流れ、その結果、制御用ＰＴＣサーミスタ３は、ノードＡ１とノードＡ２の間のトライアックに大きな電流を流すのを防ぐように十分熱せられた状態にとどまる。
【００３４】
１つの実施形態では、これに限定されるのではないが、制御用ＰＴＣサーミスタ３は、図示するように起動用ＰＴＣサーミスタ４と直列に接続される。この状態では、制御用ＰＴＣサーミスタ３が起動用ＰＴＣサーミスタ４と並列に接続される代替的な構成よりも簡単に、モータを起動することができる。例えば、制御用ＰＴＣサーミスタ３は、それ自身の通過電流によってではなく、起動用ＰＴＣサーミスタ４によって加熱される。したがって、制御用ＰＴＣサーミスタ３は、大きな起動電流の衝撃による影響を受けない。制御用ＰＴＣサーミスタ３および起動用ＰＴＣサーミスタ４が並列に接続される構成と比較すると、制御用ＰＴＣサーミスタ３および起動用ＰＴＣサーミスタ４が図２のように直列に接続されている本明細書における実施形態によれば、制御用ＰＴＣサーミスタ３の製品寿命が長くなり、安全性が高まる。
【００３５】
別の実施形態では、制御用ＰＴＣサーミスタ３（構成部品）が占める体積は、３０ｍｍ３よりも小さいなど、非常にわずかである。例示的な実施形態によれば、これに限定されるのではないが、制御用ＰＴＣサーミスタ３が占める体積は、１０ｍｍ３よりも小さくすることができる。したがって、制御用ＰＴＣサーミスタ３の電力は低く、接続用の動作スペースは大きくなる。前述したように、制御用ＰＴＣサーミスタ３および起動用ＰＴＣサーミスタ４は、５ｍｍよりも小さい距離などで相互に非常に近接して配置することができ（接触状態にあるか、または空隙を介して近接して熱伝達をするなど）、その結果、放射および／または対流によって相互間の熱が伝達される。１つの実施形態では、制御用ＰＴＣサーミスタ３および起動用ＰＴＣサーミスタ４は、３ｍｍよりも小さい距離を離して配置されるが、これらの構成要素は、任意の適切な量だけ離間することができる。前述のように、モータ２５０の起動モードの間に、起動用ＰＴＣサーミスタ４から制御用ＰＴＣサーミスタ３への最終的な熱伝達は、ノード２２５とノード２３０の間に実質的に高い抵抗をもたらす。別の実施形態によれば、起動用ＰＴＣサーミスタ４および制御用ＰＴＣサーミスタ３のいずれか、もしくはその両方は、相互の熱的係合の有効性を増加させるように、暗い層の材料など適切な材料（例えば塗料）でコーティングすることができる。すなわち、黒色または暗色の本体は、熱の放射および吸収により効果的である。
【００３６】
前述のような、制御用ＰＴＣサーミスタ３が起動用ＰＴＣサーミスタ４と直列に接続される場合などの別の実施形態によれば、半波サイクルによるコンプレッサの振動が実質的に減少および／または取り除かれる。
【００３７】
本発明は、その好ましい実施形態を参照して詳細に提示および記載されたが、添付の特許請求の範囲に記載された本出願の精神および範囲から逸脱することなく、形状および詳細の様々な変更が可能であることを、当業者は理解するであろう。このような変更は、本出願の範囲に含まれることが意図される。このように、本出願の実施形態の前述の記載は、限定することを意図しているのではない。むしろ、本発明の限定は以下の特許請求の範囲に示される。
【図１】
2015062330.tif 000003
【図２】
2015062330.tif 000004
【図３】
2015062330.tif 000005
【図４】
2015062330.tif 000006
【外国語明細書】
2015062330000001.pdf